(57)【要約】【課題】粒状の物品を収納する包装ケースを、簡易な操作でケースを繰り返し開閉することが可能であり、取り出し口の大きさを自在に調整して所望の量の内容物を取り出すことができるように構成する。【解決手段】蓋面部が内蓋フラップ１１と外蓋フラップ１２で構成されるピロー形の包装ケース１において、内蓋フラップ１１に内容物を外部に取り出すための開口部１１ａを設け、外蓋フラップ１２を、組み立てたときに内折れした内蓋フラップ１１の根元部分よりも外方へ端部が突出形状に形成する。内容物を取り出す際、外蓋フラップ１２の突出部に指を掛けて外蓋フラップ１２を開き、内蓋フラップ１１の開口部１１ａを露出させる。【選択図】図１
2015163513.tif 000002
【特許請求の範囲】
【請求項１】
表面に折れ線が形成された所定形状のプラスチックシートであって折れ線に沿ってシートを折り曲げることによりピロー形の包装ケースに組み立てられるケース組み立て用シートにおいて、
包装ケース（１）の前後となる前面部（２）と後面部（３）とこれら両面部の少なくとも一方の側端に設けられた糊代片部（４）とが縦折れ線（５，６）で区画され、
前面部（２）と後面部（３）の下端には互いに重なって包装ケース（１）の底面部を構成する内底フラップ（７）と外底フラップ（８）がそれぞれ湾曲折れ線（９，１０）を挟んで設けられ、
前面部（２）と後面部（３）の上端には互いに重なって包装ケース（１）の蓋面部を構成する内蓋フラップ（１１）と外蓋フラップ（１２）がそれぞれ湾曲折れ線（１３，１４）を挟んで設けられているとともに、
前記内蓋フラップ（１１）は包装される内容物を外部に取り出すための開口部（１１ａ）を有し、前記外蓋フラップ（１２）は包装ケースに組み立てたときに湾曲折れ線（１４）に沿って内折れした内蓋フラップ（１１）の根元部分よりも外方へ当該外蓋フラップ（１２）の端部全体又は端部の一部が張り出した形状に設けられた構成を有することを特徴とするケース組み立て用シート。
【請求項２】
内蓋フラップ（１１）の中央部分に開口部（１１ａ）が設けられた構成を有することを特徴とする請求項１に記載のケース組み立て用シート。
【請求項３】
内蓋フラップ（１１）の開口部（１１ａ）は当該内蓋フラップ（１１）の端部を台形状に切り欠いて形成された切欠部であることを特徴とする請求項２に記載のケース組み立て用シート。
【請求項４】
外蓋フラップ（１２）の中央部分に切欠部（１２ａ）が設けられた構成を有することを特徴とする請求項３に記載のケース組み立て用シート。
【請求項５】
外蓋フラップ（１２）の根元部の両側に、前面部（３）又は後面部（３）の側辺と平行に伸びた立上がり部（１２ｂ）が設けられた構成を有することを特徴とする請求項１〜４の何れかに記載のケース組み立て用シート。
【請求項６】
前後面部（２，３）と内外蓋フラップ（１１，１２）の境界に設けられた湾曲折れ線（１３，１４）内に、シートを貫通する切込み部（Ｓ）を設けた構成を有することを特徴とする請求項１〜５の何れかに記載のケース組み立て用シート。
【請求項７】
請求項１〜６の何れかに記載のケース組み立て用シート（１Ｓ）をその表面に付された折れ線に沿って折り曲げ、糊代片部（４）を前面部（２）又は後面部（３）の側端部に固着し、前後面部（２，３）の下側で内外底フラップ（７，８）、上側で内外蓋フラップ（１１，１２）を各々湾曲折れ線（９，１０，１３，１４）に沿って内側へ折り曲げて重ね合わせることにより組み立てられる包装ケース。
【請求項８】
請求項７に記載の包装ケース（１）に物品が収納されてなる包装体。
【発明の詳細な説明】
【技術分野】
【０００１】
本発明は、プラスチックシートを所定形状に打ち抜き、その表面に形成された折れ線に沿って折り曲げて組み立てられ、菓子や日用品その他の物品を収納して販売や展示に供するのに好適なプラスチックシート製の包装ケース及びこれを組み立てるためのケース組み立て用シートの構造に関する。
【背景技術】
【０００２】
食品や化粧品、文具などを包装するケースとして、例えば図８に示されるように、所定形状に裁断されたシートであってその表面に形成された折れ線１０１を挟んで前面部１０２と後面部１０３が連なり、前後面部１０２，１０３の上下両端部に各々円弧状に湾曲した折れ線１０４を挟んで蓋側のフラップ１０５，１０５と底側のフラップ１０６，１０６が設けられ、前面部１０２の側端部には折れ線１０７を挟んで糊代片部１０８が設けられてなるシート１００Ｓを折り曲げて組み立てられる構成のものが知られている。
【０００３】
図示した包装ケース１００は、折れ線１０１に沿ってシート１００Ｓを二つ折りにした状態で、糊代片部１０８を後面部１０３の端部外面に折り重ねて接着剤などで固着し、扁平なシート１００Ｓの内部を筒形に押し広げつつ、前後面部１０２，１０３の下端部側で折れ線１０４，１０４に沿って内折れさせたフラップ１０６，１０６を重ねて下部開口を閉鎖し、次いで前後面部１０２，１０３の上端部側で折れ線１０４，１０４に沿って内折れさせたフラップ１０５，１０５を重ねて上部開口を閉鎖することによりピロー形（枕形）に組み立てられるようになっている（例えば特許文献１，２，３参照）。
【０００４】
このような包装ケース１００は、ケース内部に略一杯に収納される大きさや形状の物品の包装、例えばパイなどの板状に加工された食品や、棒状や多角柱状の化粧品などの包装に多く用いられ、ケース内部に物品を収納した後、蓋側のフラップ１０５，１０５と底側のフラップ１０６，１０６が開かないように、折り重ねったフラップをラベルや粘着テープなどの封止手段で前後面部１０２，１０３に留め付けて展示販売に供しているのが一般的である。
【０００５】
また、粒状の飴やガム或いはタブレット菓子（錠剤型固形菓子）（以下、「粒菓子」と総称する。）を包装し販売するための容器として、例えば図９に示されるように、前記図８に示した如きピロー形のケース本体２０１と、ケース本体２０１の外周を覆う筒形のカバー体２０２を組み合わせた構成のものが市場に出回っている。
【０００６】
図示した包装容器２００は、ケース本体２０１の表面に一粒の粒菓子が通る大きさの貫通孔２０１ａが形成されており、この貫通孔２０１ａは、店頭での展示販売時に包装容器２００がフィルム包装されている状態ではカバー体２０２で覆い隠され（同図（Ａ））、包装フィルム２０３から包装容器２００を取り出してカバー体２０２に沿ってケース本体２０１をスライドさせると露出する位置に設けられ（同図（Ｂ））、この状態で露出した貫通孔２０１ａを下向きにして包装容器２００を振ることで、貫通孔２０１ａから粒菓子を一粒ずつ取り出すことができるようになっている。
【先行技術文献】
【特許文献】
【０００７】
【特許文献１】特開２００３−２５２３２３号公報
【特許文献２】特開２００６−１５１４９７号公報
【特許文献３】特開２０１０−５２７４２号公報
【発明の概要】
【発明が解決しようとする課題】
【０００８】
前記図８に示された包装ケース１００は、ケースの蓋側と底側で重なり合ったフラップ１０５，１０５及びフラップ１０６，１０６を封止手段で留め付けるようにしており、蓋側と底側の何れかの側のフラップを何度も開閉操作するようには設けられていなかった。
換言すれば、蓋側のフラップ１０５，１０５と底側のフラップ１０６，１０６は、互いに同寸法且つ同形状に形成され、折れ線１０４に沿って折り曲げて重ねることでケース開口部を隙間なく密閉し、且つ封止手段でフラップ同士の重合状態を固定して、ケース開口部が開き難いように設けられていた。
【０００９】
一方、前記図９に示された包装容器２００は、カバー体２０２に沿ってケース本体２０１をスライドさせるという簡易な操作で、貫通孔２０１ａを露出させたりカバー体２０２の内側に引っ込めたりして、包装容器２００を繰り返し開閉することが可能である。
しかし、貫通孔２０１ａを露出させた状態で包装容器２００から取り出せる粒菓子の量は貫通孔２０１ａの大きさに制限されてしまう。
包装容器２００に粒菓子が一杯に充填されているときは粒菓子を貫通孔２０１ａからスムーズに取り出せるものの、粒菓子の充填量が減り、例えば容器内部に数粒程しかないときには、包装容器２００を振っても粒菓子がなかなか貫通孔２０１ａから落ち出ず、利用者にいらいら感を募らせてしまうことがある。
この場合、貫通孔２０１ａを大きく形成すれば一回の取り出し操作で取り出せる粒菓子は多くなるが、これでは逆に、包装容器２００に粒菓子が一杯に充填されているときに必要以上に粒菓子が排出されてしまう虞がある。粒菓子は指で摘める程度に小さく、一旦包装容器２００から取り出した粒菓子を貫通孔２０１ａから容器内部に入れ戻す作業は極めて面倒であり、粒菓子を取り出す一回の操作で必要以上に粒菓子が容器から排出されないように、貫通孔２０１ａは一粒又はせいぜい２，３粒の粒菓子が通る程度の大きさに形成しておく必要がある。
また、包装容器２００は、ケース本体２０１とカバー体２０２の二つの部材で構成されているため製作に手間とコストを要し、さらに、ケース本体２０１がプラスチック製、カバー体２０２が紙製の場合は使用後に分別廃棄する必要がある。
【００１０】
本発明は従来技術の有するこのような問題点に鑑み、粒菓子などの粒状の物品を収納する包装ケースにおいて、簡易な操作でケースを繰り返し開閉することが可能であり、内容物を取り出しやすく、しかも取り出し口の大きさを自在に調整して所望の量の内容物を取り出すことができるようにすることを課題とする。
【課題を解決するための手段】
【００１１】
前記課題を解決するため本発明は、表面に折れ線が形成された所定形状のプラスチックシートであって折れ線に沿ってシートを折り曲げることによりピロー形の包装ケースに組み立てられるケース組み立て用シートにおいて、
包装ケースの前後となる前面部と後面部とこれら両面部の少なくとも一方の側端に設けられた糊代片部とが縦折れ線で区画され、
前面部と後面部の下端には互いに重なって包装ケースの底面部を構成する内底フラップと外底フラップがそれぞれ円弧状の湾曲折れ線を挟んで設けられ、
前面部と後面部の上端には互いに重なって包装ケースの蓋面部を構成する内蓋フラップと外蓋フラップがそれぞれ円弧状の湾曲折れ線を挟んで設けられているとともに、
前記内蓋フラップは包装される内容物を外部に取り出すための開口部を有し、前記外蓋フラップは包装ケースに組み立てたときに湾曲折れ線に沿って内折れした内蓋フラップの根元部分よりも外方へ、当該外蓋フラップの端部全体又は端部の一部が張り出した形状に設けられた構成を有することを特徴とする。
【００１２】
前記構成のケース組み立て用シートは、その表面に付された折れ線に沿って折り曲げ、糊代片部を前面部又は後面部の側端部に固着し、前後面部の下側で内外底フラップ、上側で内外蓋フラップを各々湾曲折れ線に沿って内側へ折り曲げて重ね合わせることにより包装ケースに組み立てることができる。
そして、この包装ケース内に粒菓子などの粒状の物品を収納して包装体を構成し、この包装体をフィルム包装して店頭で展示販売に供することができる。
【００１３】
これによれば、包装ケースは、前後面部間がその中央が厚く、両側が漸次薄く膨らんだ筒状をなすとともに、前後面部の下側で内外底フラップが自身の弾性によりケース内方へ弓形に湾曲して前後面部の下端部に沿って折れ重なり、上側で同じく内外蓋フラップが自身の弾性によりケース内方へ弓形に湾曲して前後面部の上端部に沿って折れ重なり、これら折れ重なったフラップで前後面部の上下の開口を保形しつつ開口面を閉鎖して、内部を密閉したピロー形の立体ケースに組み立てられる。
包装ケースに収納された内容物の取り出しは、蓋面部を構成する重なった内外蓋フラップを開ける操作をして行うが、外蓋フラップが、包装ケースに組み立てたときに湾曲折れ線に沿って内折れした内蓋フラップの根元部分よりも外方へ、その端部全体又は端部の一部が張り出した形状に設けてあるので、外蓋フラップの張り出した部分に指を添え、外蓋フラップをケース外方へ押し上げれば、外蓋フラップの下側で折れた内蓋フラップの開口部が露出し、且つ外蓋フラップは前面部又は後面部の上端部に沿って面一となり、この状態でそのまま包装ケースを傾ければ、露出した開口部を通して内容物を取り出すことができる（後述の図５参照）。外蓋フラップの端部がケース外方へ突出しているので、外蓋フラップを開ける際に外蓋フラップの端部を摘む必要はなく、端部に指を添えて上方へ押すという簡単な操作でケースを開けることが可能である。
また、内容物を取り出した後は、指先で外蓋フラップをケース内方へ押し下げれば、外蓋フラップは湾曲折れ線に沿って折れ曲がり、自身の弾性により内蓋フラップ上にぴったりと折れ重なって、包装ケースを元の密閉状態に戻すことができる。
【００１４】
前記構成のケース組み立て用シートにおいて、内蓋フラップに設ける開口部は内蓋フラップの中央部分に設けてあることが好ましい。
内蓋フラップの中央部に開口部が設けてあれば、内容物を取り出す際に包装ケースを斜めに傾けずに、ケース長手方向に沿って真っすぐに傾ければ、内容物を開口部からスムーズに排出させることができる。
内蓋フラップに設ける開口部は、内容物が粒菓子であれば一粒の粒菓子がスムーズに通過可能な大きさの貫通孔や、内蓋フラップの端部を台形状に切り欠いて形成された一粒の粒菓子がスムーズに通過可能な大きさの切欠部とすることができる。
【００１５】
内蓋フラップに台形状の切欠部からなる開口部を設けた場合、外蓋フラップの中央部分にも端部を小幅で切り欠いてなる切欠部が設けてあることが好ましい。
内蓋フラップに台形状の開口部、外蓋フラップに小幅の切欠部が設けてあれば、内容物を取り出す際に、包装ケースの前後面部の両側端部を掴んでケース内方へ力を加えれば、前後面部が撓んで前後面部間が広がり、これに伴い重なり合った内外蓋フラップの互いの中央部分が広がって、内蓋フラップの開口部と外蓋フラップの切欠部の縁部間が大きく開口する（後述の図６参照）。
よって、この状態でそのまま包装ケースを傾ければ、大きく開口した内外蓋フラップの開口部と切欠部の間を通して内容物を取り出すことが可能である。この場合にできる開口は、内蓋フラップに設けた台形状の開口部よりも大きく、複数個の内容物をまとめて取り出すことが可能である。この取り出し操作の際に、前記の如く外蓋フラップを押し上げる操作は不要である。
また、内容物を取り出した後は、包装ケースの前後面部の両側に加える力を弱めれば、前後面部は自身の弾性により両面部間を狭めて元の筒形の形状に戻り、これに伴って内外蓋フラップがぴったりと折れ重なって、包装ケースは元の密閉状態に保持される。
【００１６】
前記構成のケース組み立て用シートにおいて、外蓋フラップの根元部の両側に、前面部又は後面部の側辺と平行に伸びた立上がり部が設けられていることが好ましい。
外蓋フラップの根元部の両側に立ち上がり部が設けてあれれば、包装ケースの前後面部の両側端部を掴んで前後面部間を広げ、内外蓋フラップの互いの中央部分が広がっても、外蓋フラップの立ち上がり部が、その下で重なった内蓋フラップの端部に接して内蓋フラップを押さえ、内蓋フラップが外蓋フラップよりも上方へ捲れ上がることを防止し、内蓋フラップの上側に外蓋フラップが重なった状態を維持することができる。
【００１７】
また、前記の如く外蓋フラップを押し上げ、さらに同様に内蓋フラップを押し上げれば、包装ケースの蓋面部全体が広く開口し、その状態で包装ケースを傾ければ、ケースに収納されている内容物をまとめて取り出すことが可能である（後述の図７参照）。
この場合も、先ず指先で内蓋フラップをケース内方へ押し下げ、次いで外蓋フラップをケース内方へ押し下げれば、両フラップは自身の弾性により、ぴったりと折れ重なって包装ケースは元の密閉状態に保持される。
【００１８】
前記構成のケース組み立て用シートにおいて、前後面部と内外蓋フラップの境界に設けられた湾曲折れ線内に、シートを貫通する適宜な長さの切込み部が設けてあることが好ましい。
前記の通り、内容物の取り出しは主として外蓋フラップと内蓋フラップの開閉操作により行われるが、両フラップを押し上げたり押し下げたりする際に湾曲折れ線に作用する応力により、外蓋フラップ又は内蓋フラップの弾性変形力が弱まったり湾曲折れ線に沿って千切れたりすることがある。湾曲折れ線内に切込み部が設けてあれば、開閉操作により作用する応力が切込み部で吸収されて、外蓋フラップと内蓋フラップの湾曲折れ線に沿った根元部に作用する応力は弱まり、外蓋フラップと内蓋フラップをスムーズに繰り返し開閉操作することが可能となる。
湾曲折れ線は、ミシン目や凹筋などからなる通常の罫線と切込み部により形成し、切込み部は折れ線内に複数設け、好ましくは罫線と切込み部が交互の配置に配置されるように設けることがより好ましい。
また、外蓋フラップと内蓋フラップの開閉操作は、両フラップを押し上げ又は押し下げて湾曲折れ線に沿って折り曲げる過程で、フラップが湾曲折れ線に沿って折れて弾性変形することにより、「カチッ」というシートが屈曲する音を発するとともに押動操作により指にかかる負荷が突然小さくなり、開閉操作が完了したことを認識させるクリック感を得ることができる。
【００１９】
前記構成において、ケース組み立て用シートを構成するプラスチックシートの材質としては、耐折性が良好なポリエステル、ポリプロピレン、ポリエチレン、ポリカーボネート、或いはポリ乳酸などの生物由来性樹脂、その他の樹脂単体又はこれらの複合体からなるプラスチックシートを用いることができる。特にポリエステル製のシートは、透明性が良好で剛性が高い点で好ましく、中でも未延伸のポリエステル製シートは、より透明性が良好で且つ未延伸であるためシートの方向に関係なく強度が高い点で好ましい。
プラスチックシートの肉厚は、０．１〜０．８ｍｍに設定することができる。０．１ｍｍより薄いとシート面板の折れ曲がりや破損を来しやすくなり、０．８ｍｍよりも厚いと折り曲げ加工に要する圧力は大となる。耐折性や剛性などを考慮すると、０．２〜０．６ｍｍに設定することが好ましい。
プラスチックシートの表面に形成される、折れ線である折り曲げ罫線の種類は問わず、ミシン目などのスリットを断続させた罫線や凹穴状の押し罫線、Ｖ字やＵ字状、台形状の溝を断続又は連続させた罫線、溝内を二段溝状とした二段罫線、筋状の溝を平行に近接配置した罫線などプラスチックシートを罫線に沿って折り曲げることが可能な適宜な種類の罫線をケースの寸法やプラスチックシートの材質、剛性、厚みなどに応じて適宜に設定することができる。
ケース組み立て用シートを糊代片部で固着する手段は、接着剤や粘着剤、片面や両面粘着テープなど、適宜な固着手段を用いることができる。
【図面の簡単な説明】
【００２０】
【図１】本発明の一実施形態の包装ケースの外観図である。
【図２】図１の包装ケースのシート展開図である。
【図３】図１の包装ケースの蓋面部側の平面図である。
【図４】図１の包装ケースの蓋面部側の要部外観図である。
【図５】図４の状態から外蓋フラップを開いた状態の要部外観図である。
【図６】図１の包装ケースの前後面部をその両側端部をケース内方へ押して広げた状態の蓋面部側の要部外観図である。
【図７】図１の包装ケースの内外蓋フラップを開けて蓋面部を開口した状態の要部外観図である。
【図８】従来のピロー形の包装ケースのシート展開図（Ａ）と外観図（Ｂ）である。
【図９】従来の包装容器のフィルム包装した状態の外観図（Ａ）と内容物を取り出す状態の外観図（Ｂ）である。
【発明を実施するための形態】
【００２１】
本発明の好適な実施形態を図面に基づいて説明する。
図１は本発明の一実施形態の包装ケースを示しており、この包装ケース１は、表面に折れ線が形成された所定形状のプラスチック製のケース組み立て用シート１Ｓを折り曲げてピロー形に組み立てられ、ケース内部に粒菓子を収納して展示販売するのに適するように構成したものである。
【００２２】
図２は、包装ケース１を展開したケース組み立て用シート１Ｓを示しており、このシート１Ｓは、包装ケース１の前後となる前面部２と後面部３と前面部２の側端に設けられた糊代片部４とを平行な縦折れ線５，６で区画し、前面部２と後面部３の下端に、互いに重なって包装ケース１の底面部を構成する内底フラップ７と外底フラップ８をそれぞれ円弧状の湾曲折れ線９，１０を挟んで設け、また、前面部２と後面部３の上端には、互いに重なって包装ケース１の蓋面部を構成する内蓋フラップ１１と外蓋フラップ１２をそれぞれ円弧状の湾曲折れ線１３，１４を挟んで設けた形状に形成してある。
【００２３】
詳しくは、内底フラップ７と外底フラップ８は、その端部周縁の輪郭がともに湾曲折れ線９，１０と略同じ曲率半径で円弧状に湾曲した形状をなしており、内底フラップ７の両側には窪み部７ａ，７ａを形成してある。
【００２４】
内蓋フラップ１１と外蓋フラップ１２も、前記内外底フラップ７，８と同様に、その端部周縁の輪郭がともに湾曲折れ線１３，１４と略同じ曲率半径で円弧状に湾曲した形状をなすとともに、内蓋フラップ１１の中央部には一粒の粒菓子がスムーズに通過可能な大きさに端部を台形状に切り欠いた切欠部からなる開口部１１ａを設け、また、外蓋フラップ１２の中央部には端部を内方へ浅く湾曲させつつ切り欠いた切欠部１２ａを設けて形成してある。
【００２５】
図２に示されるように、外蓋フラップ１２の切欠部１２ａの両側部分における、湾曲折れ線１４の形成位置である根元部と端部間の距離（Ｗ１）は、内蓋フラップ１１の開口部１１ａの両側部分における、根元部と端部間の距離（Ｗ２）よりも若干大きくなるように設けてある（Ｗ１＞Ｗ２）。
また、外蓋フラップ１２の根元部の両側には、後面部３の両側辺と平行に伸びた立上がり部１１ｂ，１１ｂが設けてある。
【００２６】
また、前後面部２，３と各フラップ７，８，１１，１２を区画する湾曲折れ線９，１０，１３，１４は、各々の折れ線内にシートを貫通する三つの切込み部Ｓを有し、凹溝状の罫線部分と切込み部Ｓを、略同じ長さで交互に配置した形状に設けてある。各湾曲折れ線９，１０，１３，１４の湾曲した中央部分に切込み部Ｓを配置してある。
【００２７】
なお、各部の寸法は包装ケース１を片手で持ちやすいように、前後面部２，３の縦横を６６ｍｍ，５０ｍｍ程度、各フラップの中央部分の幅を１５ｍｍ程度に設定してある。
【００２８】
包装ケース１の組み立ては、シート１Ｓを縦折れ線５に沿って二つ折りした状態で、縦折れ線６に沿って折り曲げた糊代片部４を後面部３の側端部外面に接着剤などで固着し、二つ折りした扁平なシートの内部を筒形に押し広げつつ、前後面部２，３の下端部側で湾曲折れ線９に沿って内底フラップ７、湾曲折れ線１０に沿って外底フラップ８を順次内折れさせて重ね合わせ、次いで、前後面部２，３の上端部側で湾曲折れ線１３に沿って内蓋フラップ１１、湾曲折れ線１４に沿って外蓋フラップ１２を順次内折れさせて重ね合わせることにより行うことができる。
そして、この包装ケース１内に粒菓子を収納して包装体を構成し、これをフィルム包装して店頭で展示販売に供することができる。
内外底フラップ７，８は、両面粘着テープや粘着ラベルを用いて一体に留め付けてもよい。
【００２９】
本形態の包装ケース１は、前後面部２，３間がその中央が厚く、両側が漸次薄く膨らんだ筒状をなし、前後面部２，３の下側で内外底フラップ７，８が自身の弾性によりケース内方へ弓形に湾曲して前後面部２，３の下端部に沿って折れ重なり、上側で同じく内外蓋フラップ１１，１２が自身の弾性によりケース内方へ弓形に湾曲して前後面部２，３の上端部に沿って折れ重なり、これら折れ重なったフラップで前後面部２，３の上下の開口を保形しつつ開口面を閉鎖して、内部を密閉したピロー形の立体ケースに組み立てられる。
組み立てられた包装ケース１は、図３及び図４に示されるように、外蓋フラップ１２の端部が、湾曲折れ線１３に沿って内折れした内蓋フラップ１１の根元部分よりも外方へ張り出し、この部分に指先を当てて外蓋フラップ１２の開閉操作が容易にできるようになっている。
【００３０】
包装ケース１に収納された粒菓子の取り出しは、前記外蓋フラップ１２の張り出した部分に指を添え、外蓋フラップ１２をケース外方へ押し上げれば、図５に示されるように、外蓋フラップ１２の下側で折れた内蓋フラップ１１の開口部１１ａが露出し、外蓋フラップ１２は後面部３の上端部に沿って面一となり、この状態でそのまま包装ケース１を傾ければ、露出した開口部１１ａを通して粒菓子を取り出すことができる。
粒菓子を取り出した後は、指先で外蓋フラップ１２をケース内方へ押し下げれば、外蓋フラップ１２は湾曲折れ線１４に沿って折れ曲がり、自身の弾性により内蓋フラップ１１上にぴったりと折れ重なって、包装ケース１は元の密閉状態に戻る。
【００３１】
また、図６に示されるように、包装ケース１の前後面部２，３の両側端部を掴んでケース内方へ力を加えれば、前後面部２，３が撓んで前後面部２，３間が広がり、これに伴い重なり合った内外蓋フラップ１１，１２の互いの中央部分が広がって、内蓋フラップ１１の開口部１１ａと外蓋フラップ１２の切欠部１２ａの縁部間が大きく開口するので、この状態でそのまま包装ケース１を傾けて粒菓子を取り出すこともできる。
粒菓子を取り出した後は、前後面部２，３の両側に加える力を弱めれば、前後面部２，３は自身の弾性により両面部間を狭めて元の筒形の形状に戻り、これに伴い内外蓋フラップ１１，１２がぴったりと折れ重なって、包装ケース１は元の密閉状態に戻る。
【００３２】
さらに、図７に示されるように、外蓋フラップ１２を押し上げ、同様に内蓋フラップ１１を押し上げれば、包装ケース１の蓋面部全体が広く開口し、その状態で包装ケースを傾ければ、ケースに収納されている粒菓子をまとめて取り出すことも可能である。
この場合も、先ず指先で内蓋フラップ１１をケース内方へ押し下げ、次いで外蓋フラップ１２をケース内方へ押し下げれば、両フラップは自身の弾性により、ぴったりと折れ重なって包装ケース１は元の密閉状態に戻る。
【００３３】
このように本形態の包装ケース１によれば、簡易な操作でケースを繰り返し開閉することができるので、内容物である粒菓子の取り出し操作が容易であり、しかも、取り出し口の大きさを自在に調整して、所望の量の粒菓子を簡単に取り出すことが可能である。
【００３４】
なお、図示した包装ケースは本発明の実施形態の一例を示すものであり、本発明の包装ケースはこれに限定されず、収納する物品の大きさや形状、包装の態様などに応じて適宜な形態で構成することが可能である。
図示した形態では糊代片部４を前面部２の側端部に設けたが後面部３の側端部に設けてもよい。内底フラップ７と内蓋フラップ１１を前面部２の上下端部に、外底フラップ８と外蓋フラップ１２を後面部３の上下端部に各々設けたが、前者を後面部３の上下端部に、後者を前面部２の上下端部に各々設けてもよい。また、外蓋フラップ１２の切欠け部１２ａの両側の部分のみを内蓋フラップ１１よりも幅広に設けたが、外蓋フラップ１２の全体を内蓋フラップ１１よりも幅広に設けてもよい。
また、本発明の包装容器は、サプリメントなどの粒菓子以外の食品や、食品以外の粒状の物品の包装に用いることが可能である。
【符号の説明】
【００３５】
１  包装ケース、１Ｓ  ケース組み立て用シート、２  前面部、３  後面部、４  糊代片部、５，６  折れ線、７  内底フラップ、８  外底フラップ、９，１０  湾曲折れ線、１１  内蓋フラップ、１１ａ  開口部、１２  外蓋フラップ、１２ａ  切欠部、１３，１４  湾曲折れ線、Ｓ  切込み部
【図１】
2015163513.tif 000003
【図２】
2015163513.tif 000004
【図３】
2015163513.tif 000005
【図４】
2015163513.tif 000006
【図５】
2015163513.tif 000007
【図６】
2015163513.tif 000008
【図７】
2015163513.tif 000009
【図８】
2015163513.tif 000010
【図９】
2015163513.tif 000011